(57)【要約】【課題】作物に関するデータの精度が低くなることを回避すると共に、実態に合致した圃場マップを生成することができる圃場マップ生成システムを提供する。【解決手段】作物データを経時的に取得する作物データ取得部１４と、作物の収穫位置を示す位置情報を経時的に取得する位置情報取得部１７と、作物データ取得部１４によって取得された作物データ毎に、収穫機１０の作業幅と車速とに基づいてポリゴンを構築するポリゴン構築部２１、２４、２７と、構築された各ポリゴンに、作物データまたは作物データに基づく作物情報を割り当てるデータ割当部２２、２５、２８と、構築された各ポリゴンに、位置情報を割り当てる位置情報割当部３０と、ポリゴンを集合させることにより、ポリゴンの集合体としての圃場ポリゴンマップを生成する圃場マップ生成部２３、２６、２９と、を備える。【選択図】図２
2019008612.tif 000002
【特許請求の範囲】
【請求項１】
収穫機によって収穫された作物に関するデータである作物データを経時的に取得する作物データ取得部と、
圃場における作物の収穫位置を示す位置情報を経時的に取得する位置情報取得部と、
前記作物データ取得部によって取得された前記作物データ毎に、前記収穫機の作業幅と車速とに基づいてポリゴンを構築するポリゴン構築部と、
前記ポリゴン構築部によって構築された各ポリゴンに、前記作物データまたは前記作物データに基づく作物情報を割り当てるデータ割当部と、
前記ポリゴン構築部によって構築された各ポリゴンに、前記位置情報を割り当てる位置情報割当部と、
ポリゴンを集合させることにより、ポリゴンの集合体としての圃場ポリゴンマップを生成する圃場マップ生成部と、を備える圃場マップ生成システム。
【請求項２】
前記収穫機の有する作業装置において左右方向に沿って並ぶ複数の領域のそれぞれについて、作業状態であるか否かを判定する作業状態判定部と、
前記作業状態判定部による判定結果に基づいて前記収穫機の作業幅を算出する作業幅算出部と、を備える請求項１に記載の圃場マップ生成システム。
【請求項３】
前記作物データ取得部は、複数種の前記作物データを経時的に取得可能であり、
前記圃場マップ生成部は、前記作物データの種類毎に前記圃場ポリゴンマップを生成する請求項１または２に記載の圃場マップ生成システム。
【請求項４】
前記作物データ取得部は、前記作物データとして、作物の収量を経時的に取得可能であり、
前記データ割当部は、前記作物データとして、作物の収量をポリゴンに割り当てる請求項１から３の何れか一項に記載の圃場マップ生成システム。
【請求項５】
前記作物データ取得部は、前記作物データとして、作物の収量を経時的に取得可能であり、
前記データ割当部は、前記作物情報として、前記作物データ取得部によって取得された作物の収量を割り当て先のポリゴンに対応する圃場面積で除することによって算出された単位面積当たりの収量をポリゴンに割り当てる請求項１から３の何れか一項に記載の圃場マップ生成システム。
【請求項６】
前記作物データ取得部は、前記作物データとして、作物の品質を示す値である品質値を経時的に取得可能であり、
前記データ割当部は、前記作物データとして、前記品質値をポリゴンに割り当てる請求項１から５の何れか一項に記載の圃場マップ生成システム。
【請求項７】
前記圃場ポリゴンマップを、ポリゴンとは異なる複数の指標区画に区画された変換後マップに変換するマップ変換部を備え、
前記マップ変換部は、各指標区画に割り当てられる作物の収量を、各ポリゴンのうち各指標区画に含まれる部分の面積按分収量を足し合わせることによって算出する請求項４に記載の圃場マップ生成システム。
【請求項８】
前記圃場ポリゴンマップを、ポリゴンとは異なる複数の指標区画に区画された変換後マップに変換するマップ変換部を備え、
前記マップ変換部は、各指標区画に割り当てられる単位面積当たりの収量を、各ポリゴンのうち各指標区画に含まれる部分の面積按分収量の和を割り当て先の指標区画に対応する圃場面積で除することによって算出する請求項５に記載の圃場マップ生成システム。
【請求項９】
前記圃場ポリゴンマップを、ポリゴンとは異なる複数の指標区画に区画された変換後マップに変換するマップ変換部を備え、
前記マップ変換部は、各指標区画に割り当てられる前記品質値を、各ポリゴンのうち各指標区画と重複するポリゴンに割り当てられた前記品質値の平均値として算出し、
前記マップ変換部は、前記平均値の算出に際して、各ポリゴンのうち各指標区画に含まれる部分に対応する圃場面積による重み付けを行う請求項６に記載の圃場マップ生成システム。
【請求項１０】
前記マップ変換部は、前記収穫機とは別の作業機の作業幅に応じて指標区画の大きさを決定する請求項７から９の何れか一項に記載の圃場マップ生成システム。
【発明の詳細な説明】
【技術分野】
【０００１】
本発明は、収穫機によって収穫された作物に関するデータに基づいてマップを生成する圃場マップ生成システムに関する。
【背景技術】
【０００２】
上記のような圃場マップ生成システムとして、例えば、特許文献１に記載のものが既に知られている。この圃場マップ生成システムにおいては、収穫機によって収穫作業が行われる前に、圃場が所定の大きさで分割される。これにより、圃場は、複数の微小区画に区切られる。
【０００３】
この微小区画は、圃場を等距離間隔に区切るものである。そして、作物の収量等のデータを微小区画の距離間隔に合わせて等距離間隔で取得した上で、取得したデータを各微小区画に対応付ければ、精度の良好な圃場マップを生成することが可能となる。
【先行技術文献】
【特許文献】
【０００４】
【特許文献１】特開２０１４−６７３０８号公報
【発明の概要】
【発明が解決しようとする課題】
【０００５】
しかしながら、作物の収量等のデータを等距離間隔で取得する場合、データを単位時間毎に取得する場合に比べて、取得したデータの精度が低くなりがちである。これは、等距離間隔で取得したデータに、収穫機の走行距離の算出誤差が含まれること等が原因である。
【０００６】
そこで、作物の収量等のデータを単位時間毎に取得することが考えられる。
【０００７】
しかしながら、一般に、圃場における収穫機の走行速度は一定ではない。そのため、特許文献１に記載の圃場マップ生成システムにおいて、作物の収量等のデータを単位時間毎に取得する場合、データの取得位置は等距離間隔とはならない。従って、データの取得位置と圃場の区切り方とが噛み合わず、例えば、データなしの微小区画が生じてしまうこと等により、実態に合わない圃場マップが生成される事態が想定される。
【０００８】
本発明の目的は、作物に関するデータの精度が低くなることを回避すると共に、実態に合致した圃場マップを生成することができる圃場マップ生成システムを提供することである。
【課題を解決するための手段】
【０００９】
本発明の特徴は、
収穫機によって収穫された作物に関するデータである作物データを経時的に取得する作物データ取得部と、
圃場における作物の収穫位置を示す位置情報を経時的に取得する位置情報取得部と、
前記作物データ取得部によって取得された前記作物データ毎に、前記収穫機の作業幅と車速とに基づいてポリゴンを構築するポリゴン構築部と、
前記ポリゴン構築部によって構築された各ポリゴンに、前記作物データまたは前記作物データに基づく作物情報を割り当てるデータ割当部と、
前記ポリゴン構築部によって構築された各ポリゴンに、前記位置情報を割り当てる位置情報割当部と、
ポリゴンを集合させることにより、ポリゴンの集合体としての圃場ポリゴンマップを生成する圃場マップ生成部と、を備えることにある。
【００１０】
本発明であれば、事前に決められた圃場の区切り方に合わせて作物データが取得されるのではなく、ポリゴン構築部によって、作物データ毎にポリゴンが構築される。従って、作物データを等距離間隔で取得する必要がないため、作物データを等距離間隔で取得することによって作物データの精度が低くなってしまう事態を回避できる。
【００１１】
また、事前に圃場を区切るのではなく、ポリゴン構築部によって、作物データ毎にポリゴンが構築されるため、作物データの取得位置と圃場の区切り方とが噛み合わない事態を回避できる。これにより、実態に合致した圃場マップを生成することができる。
【００１２】
従って、本発明であれば、作物データまたは作物データに基づく作物情報の精度が低くなることを回避すると共に、実態に合致した圃場マップを生成することができる。
【００１３】
さらに、本発明において、
前記収穫機の有する作業装置において左右方向に沿って並ぶ複数の領域のそれぞれについて、作業状態であるか否かを判定する作業状態判定部と、
前記作業状態判定部による判定結果に基づいて前記収穫機の作業幅を算出する作業幅算出部と、を備えると好適である。
【００１４】
ポリゴンを構築する際、ポリゴンの幅を作業幅に一致させることが考えられる。この場合、作業装置の左右幅を作業幅としてポリゴンの構築に用いることが考えられる。
【００１５】
しかしながら、実際には、作業装置における左半分しか作業を行っていない等の事態が想定される。即ち、作業装置における一部しか作業を行っていないことがある。従って、作業装置の左右幅と実際の作業幅とは、必ずしも一致しない。
【００１６】
ここで、上記の構成によれば、作業装置の左右幅を作業幅としてポリゴンの構築に用いる場合に比べて、作業幅の精度が良好となる。これにより、ポリゴン構築部により構築されるポリゴンの幅の精度が良好となる。
【００１７】
さらに、本発明において、
前記作物データ取得部は、複数種の前記作物データを経時的に取得可能であり、
前記圃場マップ生成部は、前記作物データの種類毎に前記圃場ポリゴンマップを生成すると好適である。
【００１８】
作物データ取得部が複数種の作物データを経時的に取得可能である場合、圃場マップ生成部の生成できる圃場ポリゴンマップが１種類のみであっても、各種類の作物データを取得するタイミングが一致しているならば、各ポリゴンにそれら複数種の作物データ、または、複数種の作物データに基づく複数種の作物情報を対応付けることによって、各種類の作物データまたは作物情報の圃場における分布を示す１種類の圃場ポリゴンマップを生成することができる。
【００１９】
しかしながら、圃場マップ生成部の生成できる圃場ポリゴンマップが１種類のみであり、且つ、各種類の作物データを取得するタイミングが異なっている場合、圃場マップ生成部は、複数種の作物データまたは作物情報のうち、何れか１種類の作物データまたは作物情報についての圃場ポリゴンマップしか生成することができない。これは、各種類の作物データを取得するタイミングが異なっている場合には、構築されるポリゴンも異なるためである。そのため、作業者は、複数種の作物データまたは作物情報のうち、何れか１種類の作物データまたは作物情報の分布しか知ることができない。
【００２０】
ここで、上記の構成によれば、圃場マップ生成部は、作物データの種類毎に圃場ポリゴンマップを生成する。従って、各種類の作物データを取得するタイミングが異なっている場合であっても、各種類の作物データまたは作物情報のそれぞれについて、圃場ポリゴンマップを生成することができる。これにより、作業者は、複数種の作物データまたは作物情報のそれぞれについて、圃場における分布を知ることが可能となる。
【００２１】
さらに、本発明において、
前記作物データ取得部は、前記作物データとして、作物の収量を経時的に取得可能であり、
前記データ割当部は、前記作物データとして、作物の収量をポリゴンに割り当てると好適である。
【００２２】
この構成によれば、圃場マップ生成部は、圃場における作物の収量の分布を示す圃場ポリゴンマップを生成することができる。これにより、作業者は、圃場における作物の収量の分布を知ることが可能となる。
【００２３】
さらに、本発明において、
前記作物データ取得部は、前記作物データとして、作物の収量を経時的に取得可能であり、
前記データ割当部は、前記作物情報として、前記作物データ取得部によって取得された作物の収量を割り当て先のポリゴンに対応する圃場面積で除することによって算出された単位面積当たりの収量をポリゴンに割り当てると好適である。
【００２４】
この構成によれば、圃場マップ生成部は、圃場における単位面積当たりの収量の分布を示す圃場ポリゴンマップを生成することができる。これにより、作業者は、圃場における単位面積当たりの収量の分布を知ることが可能となる。
【００２５】
さらに、本発明において、
前記作物データ取得部は、前記作物データとして、作物の品質を示す値である品質値を経時的に取得可能であり、
前記データ割当部は、前記作物データとして、前記品質値をポリゴンに割り当てると好適である。
【００２６】
この構成によれば、圃場における品質値の分布を示す圃場ポリゴンマップを生成することができる。これにより、作業者は、圃場における品質値の分布を知ることが可能となる。
【００２７】
さらに、本発明において、
前記圃場ポリゴンマップを、ポリゴンとは異なる複数の指標区画に区画された変換後マップに変換するマップ変換部を備え、
前記マップ変換部は、各指標区画に割り当てられる作物の収量を、各ポリゴンのうち各指標区画に含まれる部分の面積按分収量を足し合わせることによって算出すると好適である。
【００２８】
１つのポリゴンにおいて、１つの指標区画に含まれる部分の面積按分収量は、そのポリゴンの全体に対応する圃場面積に対する、そのポリゴンにおけるその指標区画に含まれる部分に対応する圃場面積の比率と、そのポリゴンに割り当てられている作物の収量と、の積によって算出される。
【００２９】
そして、１つの指標区画と重複する各ポリゴンについて、その指標区画に含まれる部分の面積按分収量をそれぞれ算出し、それらの面積按分収量を足し合わせることにより、その指標区画における作物の収量を、精度良く算出することができる。
【００３０】
ここで、上記の構成によれば、マップ変換部は、各指標区画に割り当てられる作物の収量を、各ポリゴンのうち各指標区画に含まれる部分の面積按分収量を足し合わせることによって算出する。従って、各指標区画に割り当てられる作物の収量の精度が良好となる。
【００３１】
さらに、本発明において、
前記圃場ポリゴンマップを、ポリゴンとは異なる複数の指標区画に区画された変換後マップに変換するマップ変換部を備え、
前記マップ変換部は、各指標区画に割り当てられる単位面積当たりの収量を、各ポリゴンのうち各指標区画に含まれる部分の面積按分収量の和を割り当て先の指標区画に対応する圃場面積で除することによって算出すると好適である。
【００３２】
上述の通り、１つの指標区画と重複する各ポリゴンについて、その指標区画に含まれる部分の面積按分収量をそれぞれ算出し、それらの面積按分収量を足し合わせることにより、その指標区画における作物の収量を、精度良く算出することができる。
【００３３】
そして、このように算出した作物の収量を、その指標区画に対応する圃場面積で除することにより、その指標区画における単位面積当たりの収量を、精度良く算出することができる。
【００３４】
ここで、上記の構成によれば、マップ変換部は、各指標区画に割り当てられる単位面積当たりの収量を、各ポリゴンのうち各指標区画に含まれる部分の面積按分収量の和を割り当て先の指標区画に対応する圃場面積で除することによって算出する。従って、各指標区画に割り当てられる単位面積当たりの収量の精度が良好となる。
【００３５】
さらに、本発明において、
前記圃場ポリゴンマップを、ポリゴンとは異なる複数の指標区画に区画された変換後マップに変換するマップ変換部を備え、
前記マップ変換部は、各指標区画に割り当てられる前記品質値を、各ポリゴンのうち各指標区画と重複するポリゴンに割り当てられた前記品質値の平均値として算出し、
前記マップ変換部は、前記平均値の算出に際して、各ポリゴンのうち各指標区画に含まれる部分に対応する圃場面積による重み付けを行うと好適である。
【００３６】
１つの指標区画における品質値を、その指標区画と重複する各ポリゴンに割り当てられた品質値の平均値として算出すれば、その指標区画における品質値を精度良く算出することができる。
【００３７】
そして、その指標区画と重複する１つのポリゴンに割り当てられた品質値の平均値への影響の大きさは、その指標区画におけるそのポリゴンに含まれる部分に対応する圃場面積の大きさに依存する。
【００３８】
ここで、上記の構成によれば、マップ変換部は、平均値の算出に際して、各ポリゴンのうち各指標区画に含まれる部分に対応する圃場面積による重み付けを行う。これにより、各ポリゴンに割り当てられた品質値の平均値への影響の大きさを考慮に入れた状態で、平均値を算出することができる。従って、各指標区画に割り当てられる品質値の精度が良好となる。
【００３９】
さらに、本発明において、
前記マップ変換部は、前記収穫機とは別の作業機の作業幅に応じて指標区画の大きさを決定すると好適である。
【００４０】
この構成によれば、変換後マップにおいて、圃場を別の作業機の作業幅に応じて区画することができる。これにより、変換後マップに基づいて、別の作業機の作業内容を適切に決定しやすくなる。
【図面の簡単な説明】
【００４１】
【図１】圃場マップ生成システムの全体図である。
【図２】圃場マップ生成システムの構成を示すブロック図である。
【図３】作業状態判定部の構成を示す平面図である。
【図４】収量用のポリゴンを示す図である。
【図５】収量ポリゴンマップを示す図である。
【図６】収量ポリゴンマップを示す図である。
【図７】収量ポリゴンマップに基づく変換後マップを示す図である。
【図８】単位面積当たりの収量ポリゴンマップを示す図である。
【図９】単位面積当たりの収量ポリゴンマップに基づく変換後マップを示す図である。
【図１０】タンパクポリゴンマップを示す図である。
【図１１】タンパクポリゴンマップに基づく変換後マップを示す図である。
【図１２】分布図を示す図である。
【図１３】施肥量テーブルを示す図である。
【発明を実施するための形態】
【００４２】
本発明を実施するための形態について、図面に基づき説明する。尚、以下の説明においては、図３に示す矢印Ｆの方向を「前」、矢印Ｂの方向を「後」として、図３に示す矢印Ｌの方向を「左」、矢印Ｒの方向を「右」とする。
【００４３】
〔圃場マップ生成システムの全体構成〕
図１に示すように、圃場マップ生成システムＡは、種々の作業機１と、管理サーバ２と、を備えている。種々の作業機１と管理サーバ２とは、互いに通信可能に構成されている。また、作業者によって操作される操作端末３は、管理サーバ２と通信可能に構成されている。操作端末３は、例えば、農家等に設置されたパーソナルコンピュータで構成される。
【００４４】
図１に示すように、種々の作業機１には、コンバイン１０（本発明に係る「収穫機」に相当）、トラクタ４、田植機５が含まれている。
【００４５】
〔コンバインの構成〕
図２では、種々の作業機１の一例として、コンバイン１０が示されている。図２に示すように、コンバイン１０は、作業状態判定部１１、作業幅算出部１２、車速検知部１３、作物データ取得部１４、位置情報取得部１７を有している。また、作物データ取得部１４には、収量測定部１５及びタンパク測定部１６が含まれている。
【００４６】
図３に示すように、コンバイン１０は、刈取部１０ａ（本発明に係る「作業装置」に相当）を有している。刈取部１０ａは、圃場の作物を刈り取るように構成されている。作業状態判定部１１は、刈取部１０ａに取り付けられている。
【００４７】
作業状態判定部１１は、第１判定部１１ａ、第２判定部１１ｂ、第３判定部１１ｃ、第４判定部１１ｄを有している。また、刈取部１０ａにおいて左右方向に、左側から順に領域Ｅ１、Ｅ２、Ｅ３、Ｅ４が並んでいる。
【００４８】
第１判定部１１ａは、作物が領域Ｅ１を通過したか否かを検知することにより、領域Ｅ１が作業状態であるか否かを判定する。第２判定部１１ｂは、作物が領域Ｅ２を通過したか否かを検知することにより、領域Ｅ２が作業状態であるか否かを判定する。第３判定部１１ｃは、作物が領域Ｅ３を通過したか否かを検知することにより、領域Ｅ３が作業状態であるか否かを判定する。第４判定部１１ｄは、作物が領域Ｅ４を通過したか否かを検知することにより、領域Ｅ４が作業状態であるか否かを判定する。
【００４９】
即ち、第１判定部１１ａ、第２判定部１１ｂ、第３判定部１１ｃ、第４判定部１１ｄによって、領域Ｅ１、Ｅ２、Ｅ３、Ｅ４が、それぞれ、作業状態であるか否かが判定される。
【００５０】
このように、圃場マップ生成システムＡは、コンバイン１０の有する刈取部１０ａにおいて左右方向に沿って並ぶ複数の領域Ｅ１、Ｅ２、Ｅ３、Ｅ４のそれぞれについて、作業状態であるか否かを判定する作業状態判定部１１を備えている。
【００５１】
作業状態判定部１１による判定結果は、作業幅算出部１２へ送られる。そして、作業幅算出部１２は、作業状態判定部１１による判定結果に基づいて、コンバイン１０の作業幅を算出する。
【００５２】
例えば、領域Ｅ１、Ｅ２、Ｅ３、Ｅ４の全てが作業状態であると判定された場合、コンバイン１０の作業幅は、領域Ｅ１から領域Ｅ４までの幅として算出される。また、領域Ｅ１、Ｅ２が作業状態であり、領域Ｅ３、Ｅ４が作業状態でないと判定された場合、コンバイン１０の作業幅は、領域Ｅ１から領域Ｅ２までの幅として算出される。
【００５３】
このように、圃場マップ生成システムＡは、作業状態判定部１１による判定結果に基づいてコンバイン１０の作業幅を算出する作業幅算出部１２を備えている。
【００５４】
車速検知部１３は、コンバイン１０の車速を検知するように構成されている。
【００５５】
収量測定部１５は、コンバイン１０によって収穫された作物の収量（本発明に係る「作物データ」に相当）を経時的に測定する。これにより、収量測定部１５は、コンバイン１０によって収穫された作物の収量を経時的に取得する。本実施形態においては、収量測定部１５は、１秒毎に作物の収量を測定する。即ち、収量測定部１５で測定される収量は、１秒間に収穫された作物の量である。
【００５６】
また、タンパク測定部１６は、コンバイン１０によって収穫された作物のタンパク含有率（本発明に係る「作物データ」及び「品質値」に相当）を経時的に測定する。これにより、タンパク測定部１６は、コンバイン１０によって収穫された作物のタンパク含有率を経時的に取得する。本実施形態においては、タンパク測定部１６は、２秒毎に作物のタンパク含有率を測定する。
【００５７】
このように、圃場マップ生成システムＡは、コンバイン１０によって収穫された作物に関するデータである作物データを経時的に取得する作物データ取得部１４を備えている。また、作物データ取得部１４は、複数種の作物データを経時的に取得可能である。また、作物データ取得部１４は、作物データとして、作物の収量を経時的に取得可能である。また、作物データ取得部１４は、作物データとして、作物のタンパク含有率を経時的に取得可能である。
【００５８】
位置情報取得部１７は、圃場における作物の収穫位置を示す位置情報を経時的に取得する。位置情報取得部１７は、例えば、ＧＰＳによって構成される。
【００５９】
このように、圃場マップ生成システムＡは、圃場における作物の収穫位置を示す位置情報を経時的に取得する位置情報取得部１７を備えている。
【００６０】
〔管理サーバの構成〕
管理サーバ２は、収量用ポリゴン構築部２１（本発明に係る「ポリゴン構築部」に相当）、収量データ割当部２２（本発明に係る「データ割当部」に相当）、収量ポリゴンマップ生成部２３（本発明に係る「圃場マップ生成部」に相当）、単位面積当たりの収量用ポリゴン構築部２４（本発明に係る「ポリゴン構築部」に相当）、単位面積当たりの収量データ割当部２５（本発明に係る「データ割当部」に相当）、単位面積当たりの収量ポリゴンマップ生成部２６（本発明に係る「圃場マップ生成部」に相当）、タンパク用ポリゴン構築部２７（本発明に係る「ポリゴン構築部」に相当）、タンパクデータ割当部２８（本発明に係る「データ割当部」に相当）、タンパクポリゴンマップ生成部２９（本発明に係る「圃場マップ生成部」に相当）、位置情報割当部３０、ポリゴンマップ格納部３１、マップ変換部３２、施肥量決定部３３を有している。
【００６１】
作業幅算出部１２により算出されたコンバイン１０の作業幅は、収量用ポリゴン構築部２１、単位面積当たりの収量用ポリゴン構築部２４、タンパク用ポリゴン構築部２７へ送られる。また、車速検知部１３により検知されたコンバイン１０の車速は、収量用ポリゴン構築部２１、単位面積当たりの収量用ポリゴン構築部２４、タンパク用ポリゴン構築部２７へ送られる。
【００６２】
収量用ポリゴン構築部２１は、収量測定部１５によって取得された作物の収量毎に、収量用のポリゴンを構築する。例えば、コンバイン１０の走行に伴い、作物の収量が５回取得された場合、収量用ポリゴン構築部２１は、５つの収量用のポリゴンを構築する。そして、このとき、収量用ポリゴン構築部２１は、コンバイン１０の作業幅と、コンバイン１０の車速と、に基づいて、収量用のポリゴンを構築する。
【００６３】
より具体的には、図４及び図５に示すように、収量用のポリゴンは長方形状である。そして、各ポリゴンの幅Ｗは、コンバイン１０の作業幅である。また、各ポリゴンの長さＬは、コンバイン１０の車速と作物の収量の取得時間間隔との積により算出される。
【００６４】
また、単位面積当たりの収量用ポリゴン構築部２４は、収量測定部１５によって取得された作物の収量毎に、単位面積当たりの収量用のポリゴンを構築する。例えば、コンバイン１０の走行に伴い、作物の収量が５回取得された場合、単位面積当たりの収量用ポリゴン構築部２４は、５つの単位面積当たりの収量用のポリゴンを構築する。そして、このとき、単位面積当たりの収量用ポリゴン構築部２４は、コンバイン１０の作業幅と、コンバイン１０の車速と、に基づいて、単位面積当たりの収量用のポリゴンを構築する。
【００６５】
より具体的には、単位面積当たりの収量用のポリゴンは、収量用のポリゴンと同様に、長方形状である。そして、各ポリゴンの幅Ｗは、コンバイン１０の作業幅である。また、各ポリゴンの長さＬは、コンバイン１０の車速と作物の収量の取得時間間隔との積により算出される。
【００６６】
また、タンパク用ポリゴン構築部２７は、タンパク測定部１６によって取得された作物のタンパク含有率毎に、タンパク用のポリゴンを構築する。例えば、コンバイン１０の走行に伴い、作物のタンパク含有率が５回取得された場合、タンパク用ポリゴン構築部２７は、５つのタンパク用のポリゴンを構築する。そして、このとき、タンパク用ポリゴン構築部２７は、コンバイン１０の作業幅と、コンバイン１０の車速と、に基づいて、タンパク用のポリゴンを構築する。
【００６７】
より具体的には、タンパク用のポリゴンは、収量用のポリゴンと同様に、長方形状である。そして、各ポリゴンの幅Ｗは、コンバイン１０の作業幅である。また、各ポリゴンの長さＬは、コンバイン１０の車速と作物のタンパク含有率の取得時間間隔との積により算出される。
【００６８】
このように、圃場マップ生成システムＡは、作物データ取得部１４によって取得された作物データ毎に、コンバイン１０の作業幅と車速とに基づいてポリゴンを構築する収量用ポリゴン構築部２１、単位面積当たりの収量用ポリゴン構築部２４、タンパク用ポリゴン構築部２７を備えている。
【００６９】
位置情報取得部１７によって取得された位置情報は、位置情報割当部３０へ送られる。上述の通り、この位置情報は、圃場における作物の収穫位置を示している。そして、位置情報割当部３０は、位置情報取得部１７から受け取った位置情報を、収量用のポリゴン、単位面積当たりの収量用のポリゴン、タンパク用のポリゴンのそれぞれに割り当てる。
【００７０】
このように、圃場マップ生成システムＡは、収量用ポリゴン構築部２１、単位面積当たりの収量用ポリゴン構築部２４、タンパク用ポリゴン構築部２７によって構築された各ポリゴンに、位置情報を割り当てる位置情報割当部３０を備えている。
【００７１】
以上の構成により、図４及び図５に示すように、既刈地Ｈ１の各位置に対応する作物の収量に対応して、収量用のポリゴンが順次構築されていく。既刈地Ｈ１は、圃場においてコンバイン１０により収穫作業走行が行われた部分である。そして、単位面積当たりの収量用のポリゴン及びタンパク用のポリゴンについても、同様に、順次構築されていく。
【００７２】
尚、本明細書における「ポリゴン」は、実際の圃場の上に形成されるものではなく、圃場の各収穫位置に対応する各作物データのそれぞれに対応して構築される仮想的なものである。図４では、収量用のポリゴンが、コンバイン１０の収穫作業走行に伴って順次構築されていくことが示されている。
【００７３】
ただし、本発明はこれに限定されない。圃場マップ生成システムＡは、各種のポリゴンがコンバイン１０の収穫作業走行に伴って順次構築されていくのではなく、コンバイン１０の収穫作業走行が完了した後に、各ポリゴンが構築されるように構成されていても良い。
【００７４】
また、図４において、収穫作業走行が行われていない部分は、未刈地Ｈ２として示されている。
【００７５】
収量測定部１５によって取得された作物の収量は、収量データ割当部２２及び単位面積当たりの収量データ割当部２５へ送られる。また、タンパク測定部１６によって取得された作物のタンパク含有率は、タンパクデータ割当部２８へ送られる。
【００７６】
収量データ割当部２２は、収量用ポリゴン構築部２１によって構築された収量用のポリゴンに、収量測定部１５から受け取った作物の収量を割り当てる。
【００７７】
尚、この割り当てについて詳述すると、収量測定部１５により取得された作物の収量には、取得された順番に応じたナンバーが付与される。そして、収量用ポリゴン構築部２１により構築された収量用のポリゴンには、構築された順番に応じたナンバーが付与される。そして、収量用のポリゴンには、そのポリゴンと同一のナンバーが付与された作物の収量が割り当てられる。
【００７８】
また、単位面積当たりの収量データ割当部２５は、収量測定部１５から受け取った作物の収量から、単位面積当たりの収量（本発明に係る「作物情報」に相当）を算出する。そして、単位面積当たりの収量データ割当部２５は、単位面積当たりの収量用ポリゴン構築部２４によって構築された単位面積当たりの収量用のポリゴンに、単位面積当たりの収量を割り当てる。
【００７９】
単位面積当たりの収量は、作物の収量を、割り当て先の単位面積当たりの収量用のポリゴンに対応する圃場面積で除することによって算出される。
【００８０】
尚、この割り当てについて詳述すると、単位面積当たりの収量データ割当部２５により算出された単位面積当たりの収量には、作物の収量と同様に、ナンバーが付与される。そして、単位面積当たりの収量用ポリゴン構築部２４により構築された単位面積当たりの収量用のポリゴンには、構築された順番に応じたナンバーが付与される。そして、単位面積当たりの収量用のポリゴンには、そのポリゴンと同一のナンバーが付与された単位面積当たりの収量が割り当てられる。
【００８１】
また、タンパクデータ割当部２８は、タンパク用ポリゴン構築部２７によって構築されたタンパク用のポリゴンに、タンパク測定部１６から受け取った作物のタンパク含有率を割り当てる。
【００８２】
尚、この割り当てについて詳述すると、タンパク測定部１６により取得された作物のタンパク含有率には、取得された順番に応じたナンバーが付与される。そして、タンパク用ポリゴン構築部２７により構築されたタンパク用のポリゴンには、構築された順番に応じたナンバーが付与される。そして、タンパク用のポリゴンには、そのポリゴンと同一のナンバーが付与された作物のタンパク含有率が割り当てられる。
【００８３】
このように、圃場マップ生成システムＡは、収量用ポリゴン構築部２１、単位面積当たりの収量用ポリゴン構築部２４、タンパク用ポリゴン構築部２７によって構築された各ポリゴンに、作物データまたは作物データに基づく作物情報を割り当てる収量データ割当部２２、単位面積当たりの収量データ割当部２５、タンパクデータ割当部２８を備えている。
【００８４】
また、収量データ割当部２２は、作物データとして、作物の収量をポリゴンに割り当てる。また、単位面積当たりの収量データ割当部２５は、作物情報として、作物データ取得部１４によって取得された作物の収量を割り当て先のポリゴンに対応する圃場面積で除することによって算出された単位面積当たりの収量をポリゴンに割り当てる。また、タンパクデータ割当部２８は、作物データとして、作物のタンパク含有率をポリゴンに割り当てる。
【００８５】
収量ポリゴンマップ生成部２３は、図５に示すように、収量用のポリゴンを集合させることにより、収量用のポリゴンの集合体としての収量ポリゴンマップ（本発明に係る「圃場ポリゴンマップ」に相当）を生成する。生成された収量ポリゴンマップは、ポリゴンマップ格納部３１に格納される。
【００８６】
作業者は、操作端末３を介して、管理サーバ２にアクセスすることにより、収量ポリゴンマップを見ることができる。上述の通り、収量用のポリゴンには、作物の収量が割り当てられている。従って、作業者は、収量ポリゴンマップを見ることにより、圃場の各収穫位置における作物の収量を知ることができる。
【００８７】
また、単位面積当たりの収量ポリゴンマップ生成部２６は、図８に示すように、単位面積当たりの収量用のポリゴンを集合させることにより、単位面積当たりの収量用のポリゴンの集合体としての単位面積当たりの収量ポリゴンマップ（本発明に係る「圃場ポリゴンマップ」に相当）を生成する。生成された単位面積当たりの収量ポリゴンマップは、ポリゴンマップ格納部３１に格納される。
【００８８】
作業者は、操作端末３を介して、管理サーバ２にアクセスすることにより、単位面積当たりの収量ポリゴンマップを見ることができる。上述の通り、単位面積当たりの収量用のポリゴンには、単位面積当たりの収量が割り当てられている。従って、作業者は、単位面積当たりの収量ポリゴンマップを見ることにより、圃場の各収穫位置における単位面積当たりの収量を知ることができる。
【００８９】
また、タンパクポリゴンマップ生成部２９は、図１０に示すように、タンパク用のポリゴンを集合させることにより、タンパク用のポリゴンの集合体としてのタンパクポリゴンマップ（本発明に係る「圃場ポリゴンマップ」に相当）を生成する。生成されたタンパクポリゴンマップは、ポリゴンマップ格納部３１に格納される。
【００９０】
作業者は、操作端末３を介して、管理サーバ２にアクセスすることにより、タンパクポリゴンマップを見ることができる。上述の通り、タンパク用のポリゴンには、作物のタンパク含有率が割り当てられている。従って、作業者は、タンパクポリゴンマップを見ることにより、圃場の各収穫位置における作物のタンパク含有率を知ることができる。
【００９１】
このように、圃場マップ生成システムＡは、収量用のポリゴンを集合させることにより、収量用のポリゴンの集合体としての収量ポリゴンマップを生成する収量ポリゴンマップ生成部２３を備えている。また、圃場マップ生成システムＡは、単位面積当たりの収量用のポリゴンを集合させることにより、単位面積当たりの収量用のポリゴンの集合体としての単位面積当たりの収量ポリゴンマップを生成する単位面積当たりの収量ポリゴンマップ生成部２６を備えている。また、圃場マップ生成システムＡは、タンパク用のポリゴンを集合させることにより、タンパク用のポリゴンの集合体としてのタンパクポリゴンマップを生成するタンパクポリゴンマップ生成部２９を備えている。
【００９２】
また、このように、収量ポリゴンマップ生成部２３及びタンパクポリゴンマップ生成部２９は、作物データの種類毎に、収量ポリゴンマップ及びタンパクポリゴンマップを生成する。
【００９３】
図５から図１１に示すように、マップ変換部３２は、ポリゴンマップ格納部３１に格納されている収量ポリゴンマップ、単位面積当たりの収量ポリゴンマップ、タンパクポリゴンマップを、ポリゴンとは異なる複数の指標区画に区画された変換後マップに変換する。
【００９４】
このように、圃場マップ生成システムＡは、収量ポリゴンマップ、単位面積当たりの収量ポリゴンマップ、タンパクポリゴンマップを、ポリゴンとは異なる複数の指標区画に区画された変換後マップに変換するマップ変換部３２を備えている。
【００９５】
尚、図６から図１１に示すように、本実施形態においては、マップ変換部３２は、収量ポリゴンマップ、単位面積当たりの収量ポリゴンマップ、タンパクポリゴンマップを、互いに同一の区切り方によって複数の指標区画に区画している。しかしながら、本発明はこれに限定されず、マップ変換部３２は、収量ポリゴンマップ、単位面積当たりの収量ポリゴンマップ、タンパクポリゴンマップを、それぞれ異なる区切り方によって複数の指標区画に区画することが可能なように構成されていても良い。
【００９６】
以下では、収量ポリゴンマップ、単位面積当たりの収量ポリゴンマップ、タンパクポリゴンマップの変換について詳述する。
【００９７】
〔収量ポリゴンマップの変換について〕
図５から図７に示すように、収量ポリゴンマップは、マップ変換部３２によって、複数の指標区画Ｐ１からＰ１６に区画された変換後マップに変換される。このとき、マップ変換部３２は、各指標区画に割り当てられる作物の収量を、各ポリゴンのうち各指標区画に含まれる部分の面積按分収量を足し合わせることによって算出する。
【００９８】
詳述すると、１つのポリゴンにおいて、１つの指標区画に含まれる部分の面積按分収量は、そのポリゴンの全体に対応する圃場面積に対する、そのポリゴンにおけるその指標区画に含まれる部分に対応する圃場面積の比率と、そのポリゴンに割り当てられている作物の収量と、の積である。
【００９９】
そして、マップ変換部３２は、１つの指標区画と重複する各ポリゴンについて、その指標区画に含まれる部分の面積按分収量をそれぞれ算出し、それらの面積按分収量を足し合わせることにより、その指標区画における作物の収量を算出する。
【０１００】
例えば、図５から図７に示すように、指標区画Ｐ１は、ポリゴンＰｇ１からＰｇ４と重複している。また、ポリゴンＰｇ１に割り当てられている収量はＺｇ１、ポリゴンＰｇ２に割り当てられている収量はＺｇ２、ポリゴンＰｇ３に割り当てられている収量はＺｇ３、ポリゴンＰｇ４に割り当てられている収量はＺｇ４である。
【０１０１】
ここで、ポリゴンＰｇ１は、全体が指標区画Ｐ１に含まれている。従って、ポリゴンＰｇ１の全体に対応する圃場面積に対する、ポリゴンＰｇ１における指標区画Ｐ１に含まれる部分に対応する圃場面積の比率は１である。
【０１０２】
このとき、ポリゴンＰｇ１において、指標区画Ｐ１に含まれる部分の面積按分収量は、この比率１と、Ｚｇ１と、の積によって算出される。
【０１０３】
また、ポリゴンＰｇ２の全体に対応する圃場面積に対する、ポリゴンＰｇ２における指標区画Ｐ１に含まれる部分に対応する圃場面積の比率は０．２であるとする。
【０１０４】
このとき、ポリゴンＰｇ２において、指標区画Ｐ１に含まれる部分の面積按分収量は、この比率０．２と、Ｚｇ２と、の積によって算出される。
【０１０５】
また、ポリゴンＰｇ３の全体に対応する圃場面積に対する、ポリゴンＰｇ３における指標区画Ｐ１に含まれる部分に対応する圃場面積の比率は０．４であるとする。
【０１０６】
このとき、ポリゴンＰｇ３において、指標区画Ｐ１に含まれる部分の面積按分収量は、この比率０．４と、Ｚｇ３と、の積によって算出される。
【０１０７】
また、ポリゴンＰｇ４の全体に対応する圃場面積に対する、ポリゴンＰｇ４における指標区画Ｐ１に含まれる部分に対応する圃場面積の比率は０．３であるとする。
【０１０８】
このとき、ポリゴンＰｇ４において、指標区画Ｐ１に含まれる部分の面積按分収量は、この比率０．３と、Ｚｇ４と、の積によって算出される。
【０１０９】
そして、これらの面積按分収量を足し合わせると、
１×Ｚｇ１＋０．２×Ｚｇ２＋０．４×Ｚｇ３＋０．３×Ｚｇ４
である。これが、指標区画Ｐ１に割り当てられる作物の収量である。
【０１１０】
マップ変換部３２は、指標区画Ｐ２からＰ１６に対しても同様の計算を行い、各指標区画に作物の収量を割り当てる。
【０１１１】
〔単位面積当たりの収量マップの変換について〕
図８及び図９に示すように、単位面積当たりの収量ポリゴンマップは、マップ変換部３２によって、複数の指標区画Ｐ１からＰ１６に区画された変換後マップに変換される。このとき、マップ変換部３２は、各指標区画に割り当てられる単位面積当たりの収量を、各ポリゴンのうち各指標区画に含まれる部分の面積按分収量の和を割り当て先の指標区画に対応する圃場面積で除することによって算出する。
【０１１２】
詳述すると、上述の通り、１つのポリゴンにおいて、１つの指標区画に含まれる部分の面積按分収量は、そのポリゴンの全体に対応する圃場面積に対する、そのポリゴンにおけるその指標区画に含まれる部分に対応する圃場面積の比率と、そのポリゴンに割り当てられている作物の収量と、の積である。
【０１１３】
そして、１つのポリゴンにおいて、１つの指標区画に含まれる部分の面積按分収量は、そのポリゴンにおけるその指標区画に含まれる部分に対応する圃場面積と、そのポリゴンに割り当てられている単位面積当たりの収量と、の積に等しい。
【０１１４】
マップ変換部３２は、１つの指標区画と重複する各ポリゴンについて、その指標区画に含まれる部分の面積按分収量をそれぞれ算出し、それらの面積按分収量の和を割り当て先の指標区画に対応する圃場面積で除することにより、その指標区画における単位面積当たりの収量を算出する。
【０１１５】
例えば、図８及び図９に示すように、指標区画Ｐ１は、ポリゴンＰｇ５からＰｇ８と重複している。また、ポリゴンＰｇ５に割り当てられている単位面積当たりの収量はＹｇ５、ポリゴンＰｇ６に割り当てられている収量はＹｇ６、ポリゴンＰｇ７に割り当てられている収量はＹｇ７、ポリゴンＰｇ８に割り当てられている収量はＹｇ８である。
【０１１６】
ここで、ポリゴンＰｇ５において、指標区画Ｐ１に含まれる部分に対応する圃場面積はＳｇ５であるとする。
【０１１７】
このとき、ポリゴンＰｇ５において、指標区画Ｐ１に含まれる部分の面積按分収量は、Ｓｇ５とＹｇ５との積によって算出される。
【０１１８】
また、ポリゴンＰｇ６において、指標区画Ｐ１に含まれる部分に対応する圃場面積はＳｇ６であるとする。
【０１１９】
このとき、ポリゴンＰｇ６において、指標区画Ｐ１に含まれる部分の面積按分収量は、Ｓｇ６とＹｇ６との積によって算出される。
【０１２０】
また、ポリゴンＰｇ７において、指標区画Ｐ１に含まれる部分に対応する圃場面積はＳｇ７であるとする。
【０１２１】
このとき、ポリゴンＰｇ７において、指標区画Ｐ１に含まれる部分の面積按分収量は、Ｓｇ７とＹｇ７との積によって算出される。
【０１２２】
また、ポリゴンＰｇ８において、指標区画Ｐ１に含まれる部分に対応する圃場面積はＳｇ８であるとする。
【０１２３】
このとき、ポリゴンＰｇ８において、指標区画Ｐ１に含まれる部分の面積按分収量は、Ｓｇ８とＹｇ８との積によって算出される。
【０１２４】
これらの面積按分収量の和は、
Ｓｇ５×Ｙｇ５＋Ｓｇ６×Ｙｇ６＋Ｓｇ７×Ｙｇ７＋Ｓｇ８×Ｙｇ８
である。そして、指標区画Ｐ１に対応する圃場面積をＳ１としたとき、この面積按分収量の和を、指標区画Ｐ１に対応する圃場面積で除すると、
（Ｓｇ５×Ｙｇ５＋Ｓｇ６×Ｙｇ６＋Ｓｇ７×Ｙｇ７＋Ｓｇ８×Ｙｇ８）／Ｓ１
である。これが、指標区画Ｐ１に割り当てられる単位面積当たりの収量である。
【０１２５】
マップ変換部３２は、指標区画Ｐ２からＰ１６に対しても同様の計算を行い、各指標区画に単位面積当たりの収量を割り当てる。
【０１２６】
〔タンパクポリゴンマップの変換について〕
図１０及び図１１に示すように、タンパクポリゴンマップは、マップ変換部３２によって、複数の指標区画Ｐ１からＰ１６に区画された変換後マップに変換される。このとき、マップ変換部３２は、各指標区画に割り当てられるタンパク含有率を、各ポリゴンのうち各指標区画と重複するポリゴンに割り当てられたタンパク含有率の平均値として算出する。そして、マップ変換部３２は、平均値の算出に際して、各ポリゴンのうち各指標区画に含まれる部分に対応する圃場面積による重み付けを行う。
【０１２７】
詳述すると、１つの指標区画におけるタンパク含有率は、その指標区画と重複する各ポリゴンに割り当てられたタンパク含有率の平均値として算出することができる。
【０１２８】
そして、その指標区画と重複する１つのポリゴンに割り当てられたタンパク含有率の平均値への影響の大きさは、その指標区画におけるそのポリゴンに含まれる部分に対応する圃場面積の大きさに依存する。
【０１２９】
そのため、マップ変換部３２は、平均値の算出に際して、各ポリゴンのうち各指標区画に含まれる部分に対応する圃場面積による重み付けを行う。これにより、各ポリゴンに割り当てられたタンパク含有率の平均値への影響の大きさを考慮に入れた状態で、平均値を算出することができる。
【０１３０】
より具体的には、マップ変換部３２は、１つの指標区画に割り当てられるタンパク含有率を算出する際、まず、その指標区画と重複する各ポリゴンのそれぞれについて、ポリゴンにおけるその指標区画に含まれる部分に対応する圃場面積と、そのポリゴンに割り当てられているタンパク含有率と、の積を算出する。そして、算出されたそれぞれの積を足し合わせた上で、その指標区画に対応する圃場面積で除する。
【０１３１】
これにより、タンパク含有率の平均値の算出に際して、圃場面積による重み付けが行われることとなる。
【０１３２】
例えば、図１０及び図１１に示すように、指標区画Ｐ１は、ポリゴンＰｇ９からＰｇ１１と重複している。また、ポリゴンＰｇ９に割り当てられているタンパク含有率はＸｇ９、ポリゴンＰｇ１０に割り当てられているタンパク含有率はＸｇ１０、ポリゴンＰｇ１１に割り当てられているタンパク含有率はＸｇ１１である。
【０１３３】
ここで、ポリゴンＰｇ９において、指標区画Ｐ１に含まれる部分に対応する圃場面積はＳｇ９であるとする。
【０１３４】
このとき、ポリゴンＰｇ９における指標区画Ｐ１に含まれる部分に対応する圃場面積と、ポリゴンＰｇ９に割り当てられているタンパク含有率と、の積は、Ｓｇ９とＸｇ９との積によって算出される。
【０１３５】
また、ポリゴンＰｇ１０において、指標区画Ｐ１に含まれる部分に対応する圃場面積はＳｇ１０であるとする。
【０１３６】
このとき、ポリゴンＰｇ１０における指標区画Ｐ１に含まれる部分に対応する圃場面積と、ポリゴンＰｇ１０に割り当てられているタンパク含有率と、の積は、Ｓｇ１０とＸｇ１０との積によって算出される。
【０１３７】
また、ポリゴンＰｇ１１において、指標区画Ｐ１に含まれる部分に対応する圃場面積はＳｇ１１であるとする。
【０１３８】
このとき、ポリゴンＰｇ１１における指標区画Ｐ１に含まれる部分に対応する圃場面積と、ポリゴンＰｇ１１に割り当てられているタンパク含有率と、の積は、Ｓｇ１１とＸｇ１１との積によって算出される。
【０１３９】
これらの積の和は、
Ｓｇ９×Ｘｇ９＋Ｓｇ１０×Ｘｇ１０＋Ｓｇ１１×Ｘｇ１１
である。そして、指標区画Ｐ１に対応する圃場面積をＳ１としたとき、この積の和を、指標区画Ｐ１に対応する圃場面積で除すると、
（Ｓｇ９×Ｘｇ９＋Ｓｇ１０×Ｘｇ１０＋Ｓｇ１１×Ｘｇ１１）／Ｓ１
である。これが、指標区画Ｐ１に割り当てられるタンパク含有率である。
【０１４０】
マップ変換部３２は、指標区画Ｐ２からＰ１６に対しても同様の計算を行い、各指標区画にタンパク含有率を割り当てる。
【０１４１】
〔施肥量の決定について〕
上述の通り、本実施形態においては、マップ変換部３２は、収量ポリゴンマップ、単位面積当たりの収量ポリゴンマップ、タンパクポリゴンマップを、互いに同一の区切り方によって複数の指標区画に区画している。
【０１４２】
ここで、マップ変換部３２は、コンバイン１０とは別の作業機１である田植機５の作業幅に応じて指標区画の大きさを決定している。より具体的には、本実施形態において、指標区画の幅は、田植機５の作業幅と一致するように設定されている。
【０１４３】
このように、マップ変換部３２は、コンバイン１０とは別の作業機１の作業幅に応じて指標区画の大きさを決定する。
【０１４４】
また、施肥量決定部３３には、図１２に示す分布図と、図１３に示す施肥量テーブルと、が格納されている。施肥量決定部３３は、分布図及び施肥量テーブルに基づいて、収穫作業後の各指標区画における施肥量を決定する。
【０１４５】
詳述すると、図１２に示すように、分布図は、横軸がタンパク含有率、縦軸が単位面積当たりの収量である。また、分布図は、区分Ｒ１からＲ６に区切られている。そして、各指標区画におけるタンパク含有率と単位面積当たりの収量とに基づいて、各指標区画に対応する点が、それぞれ分布図にプロットされる。これにより、各指標区画は、区分Ｒ１からＲ６の何れかに割り振られる。
【０１４６】
図１３に示すように、施肥量テーブルにおいては、区分Ｒ１からＲ６と、施肥量ｍ１からｍ６とが対応付けられている。そして、各指標区画が分布図において割り振られた区分と、施肥量テーブルと、に基づいて、各指標区画の施肥量が決定される。
【０１４７】
例えば、図９及び図１１に示すように、指標区画Ｐ１における単位面積当たりの収量はＹ１である。また、指標区画Ｐ１におけるタンパク含有率はＸ１である。
【０１４８】
図１２に示すように、分布図において、タンパク含有率がＸ１であり、単位面積当たりの収量がＹ１である点は、区分Ｒ１に属している。従って、指標区画Ｐ１は、区分Ｒ１に割り振られる。そして、図１３に示すように、区分Ｒ１に対応付けられている施肥量はｍ１である。
【０１４９】
即ち、施肥量決定部３３により、指標区画Ｐ１の施肥量はｍ１に決定される。
【０１５０】
また、図９及び図１１に示すように、指標区画Ｐ２における単位面積当たりの収量はＹ２である。また、指標区画Ｐ２におけるタンパク含有率はＸ２である。
【０１５１】
図１２に示すように、分布図において、タンパク含有率がＸ２であり、単位面積当たりの収量がＹ２である点は、区分Ｒ６に属している。従って、指標区画Ｐ２は、区分Ｒ６に割り振られる。そして、図１３に示すように、区分Ｒ６に対応付けられている施肥量はｍ６である。
【０１５２】
即ち、施肥量決定部３３により、指標区画Ｐ２の施肥量はｍ６に決定される。
【０１５３】
施肥量決定部３３は、指標区画Ｐ３からＰ１６に対しても同様の計算を行い、各指標区画の施肥量を決定する。
【０１５４】
そして、施肥量決定部３３により決定された各指標区画の施肥量は、田植機５へ送られる。田植機５は、受け取った各指標区画の施肥量に基づいて、施肥装置を制御する。
【０１５５】
また、作業者は、操作端末３を介して、管理サーバ２にアクセスすることにより、施肥量決定部３３により決定された各指標区画の施肥量を見ることができる。
【０１５６】
以上で説明した構成によれば、事前に決められた圃場の区切り方に合わせて作物データが取得されるのではなく、収量用ポリゴン構築部２１、単位面積当たりの収量用ポリゴン構築部２４、タンパク用ポリゴン構築部２７によって、作物データ毎にポリゴンが構築される。従って、作物データを等距離間隔で取得する必要がないため、作物データを等距離間隔で取得することによって作物データの精度が低くなってしまう事態を回避できる。
【０１５７】
また、事前に圃場を区切るのではなく、収量用ポリゴン構築部２１、単位面積当たりの収量用ポリゴン構築部２４、タンパク用ポリゴン構築部２７によって、作物データ毎にポリゴンが構築されるため、作物データの取得位置と圃場の区切り方とが噛み合わない事態を回避できる。これにより、実態に合致した圃場マップを生成することができる。
【０１５８】
従って、以上で説明した構成であれば、作物データまたは作物データに基づく作物情報の精度が低くなることを回避すると共に、実態に合致した圃場マップを生成することができる。
【０１５９】
〔その他の実施形態〕
（１）作物データ取得部１４には、作物の水分値を取得する水分値測定部が含まれていても良い。尚、作物の水分値は、本発明に係る「品質値」に相当する。そして、この場合、水分値用ポリゴン構築部、水分値データ割当部、水分値ポリゴンマップ生成部を備え、水分値ポリゴンマップを生成するように構成することができる。
【０１６０】
（２）作物のタンパク含有率や水分値等に基づいて、作物の食味を算出するように構成されていても良い。この場合、食味用ポリゴン構築部、食味データ割当部、食味ポリゴンマップ生成部を備え、食味ポリゴンマップを生成するように構成することができる。
【０１６１】
（３）収量測定部１５は、１秒以外の所定期間毎に作物の収量を測定するように構成されていても良いし、不定期に作物の収量を測定するように構成されていても良い。
【０１６２】
（４）タンパク測定部１６は、２秒以外の所定期間毎に作物のタンパク含有率を測定するように構成されていても良いし、不定期に作物のタンパク含有率を測定するように構成されていても良い。
【０１６３】
（５）変換後マップにおける指標区画の個数は、１５個以下でも良いし、１７個以上でも良い。
【０１６４】
（６）マップ変換部３２は、操作端末３を介して作業者によって設定された大きさに応じて指標区画の大きさを決定するように構成されていても良い。
【０１６５】
（７）マップ変換部３２は、タンパク含有率の平均値の算出に際して、各ポリゴンのうち各指標区画に含まれる部分に対応する圃場面積による重み付けを行わないように構成されていても良い。
【０１６６】
（８）マップ変換部３２は設けられていなくても良い。
【０１６７】
（９）単位面積当たりの収量用ポリゴン構築部２４は設けられていなくても良い。
【０１６８】
（１０）単位面積当たりの収量データ割当部２５は設けられていなくても良い。
【０１６９】
（１１）単位面積当たりの収量ポリゴンマップ生成部２６は設けられていなくても良い。
【０１７０】
（１２）作物データ取得部１４は、１種類のみの作物データを経時的に取得するように構成されていても良い。
【０１７１】
（１３）作業状態判定部１１は設けられていなくても良い。
【０１７２】
（１４）作業幅算出部１２は設けられていなくても良い。
【０１７３】
（１５）収量用ポリゴン構築部２１、収量データ割当部２２、収量ポリゴンマップ生成部２３、単位面積当たりの収量用ポリゴン構築部２４、単位面積当たりの収量データ割当部２５、単位面積当たりの収量ポリゴンマップ生成部２６、タンパク用ポリゴン構築部２７、タンパクデータ割当部２８、タンパクポリゴンマップ生成部２９、位置情報割当部３０、ポリゴンマップ格納部３１、マップ変換部３２、施肥量決定部３３のうち、一部または全てがコンバイン１０に備えられていても良い。
【産業上の利用可能性】
【０１７４】
本発明は、収穫機によって収穫された作物に関するデータに基づいてマップを生成する圃場マップ生成システムに適用可能である。
【符号の説明】
【０１７５】
１        作業機
１０      コンバイン（収穫機）
１０ａ    刈取部（作業装置）
１１      作業状態判定部
１２      作業幅算出部
１４      作物データ取得部
１７      位置情報取得部
２１      収量用ポリゴン構築部（ポリゴン構築部）
２２      収量データ割当部（データ割当部）
２３      収量ポリゴンマップ生成部（圃場マップ生成部）
２４      単位面積当たりの収量用ポリゴン構築部（ポリゴン構築部）
２５      単位面積当たりの収量データ割当部（データ割当部）
２６      単位面積当たりの収量ポリゴンマップ生成部（圃場マップ生成部）
２７      タンパク用ポリゴン構築部（ポリゴン構築部）
２８      タンパクデータ割当部（データ割当部）
２９      タンパクポリゴンマップ生成部（圃場マップ生成部）
３０      位置情報割当部
３２      マップ変換部
Ａ        圃場マップ生成システム
【図１】
2019008612.tif 000003
【図２】
2019008612.tif 000004
【図３】
2019008612.tif 000005
【図４】
2019008612.tif 000006
【図５】
2019008612.tif 000007
【図６】
2019008612.tif 000008
【図７】
2019008612.tif 000009
【図８】
2019008612.tif 000010
【図９】
2019008612.tif 000011
【図１０】
2019008612.tif 000012
【図１１】
2019008612.tif 000013
【図１２】
2019008612.tif 000014
【図１３】
2019008612.tif 000015